【手続補正書】
【提出日】平成17年4月25日(2005.4.25)
【手続補正１】
【補正対象書類名】明細書
【補正対象項目名】全文
【補正方法】変更
【補正の内容】
【書類名】  明細書
【発明の名称】  トングレールと床板摺動面に潤滑油を給油するための加圧式給油タンク
【特許請求の範囲】
【請求項１】  トングレールと床板摺動面に潤滑油を給油するための給油タンクであって、前記タンクの上蓋を前記タンク内においてピストンとして機能するように前記タンク内に摺動可能に配置し、前記上蓋の自重で前記タンク内の潤滑油を加圧可能にしたことを特徴とする加圧式給油タンク。
【請求項２】  前記タンクの内面を鏡面加工した請求項１に記載の加圧式給油タンク。
【請求項３】  前記上蓋に潤滑油補給口兼空気抜き用のバルブを設けた請求項１又は２に記載の加圧式給油タンク。
【請求項４】  前記上蓋の周面にＯリングを巻装した請求項１乃至３のいずれかに記載の加圧式給油タンク。
【請求項５】  前記タンクの上方に、前記上蓋を上昇させる手巻きウインチを設置した請求項１乃至４のいずれかに記載の加圧式給油タンク。
【請求項６】  前記タンクの下部潤滑油送出口に分配用コックを設置した請求項１乃至５のいずれかに記載の加圧式給油タンク。
【発明の詳細な説明】
【０００１】
【産業上の利用分野】
本発明は、トングレールと床板摺動面に潤滑油を給油するための加圧式給油タンクに関するものである。
【０００２】
【従来の技術】
トングレールの転轍動作時には、床面とトングレール摺動面の摩擦抵抗を軽減するために、摺動面に潤滑油を供給する必要がある。そのために潤滑油の給油装置と加圧装置とが用いられるが、潤滑油の給油装置については、本願出願人が、特願平１０−１３２５１６号において開示している。
潤滑油の加圧装置は、鉄道道路の外側に給油タンクを設置し、配管にてトングレールの中間に設置した復動式油圧ポンプに給油するためのものである。
【０００３】
この様に潤滑油をトングレールの所定の箇所に圧送するためには、外部の給油タンクより復動式油圧ポンプへ潤滑油を圧送する必要がある。
復動式油圧ポンプに潤滑油を供給するための潤滑油貯蔵タンクは、線路外側の列車の運行や保守点検に支障をきたさない位置に設置する。
【０００４】
潤滑油は粘度が高いため復動式油圧ポンプに対して、潤滑油タンクより自然供給することについては問題がある。即ち、復動式油圧ポンプが粘度の高い潤滑油を自吸入するためには、ポンプのピストンに過大な荷重が掛かり、その為に転轍作業に支障をきたす危険性がある。
この様な危険性を回避するために、潤滑油の供給についてはタンクより給油する場合に、ある程度加圧して潤滑油を給油する必要がある。
本発明は、上述の如く復動式油圧ポンプに潤滑油を供給するための潤滑油の加圧式給油タンクである。
【０００５】
摺動面を移動するトングレールと床面に潤滑油を供給する場合、線路の外側にある潤滑油の給油タンクから復動式油圧ポンプに潤滑油を加圧して供給する必要がある。従来、給油タンクに加圧する場合、潤滑油が減少すると油面が低下するので、油面の低下分に応じた錘を外部より鎖で供給する方法を採っているが、構造が複雑になり保守点検に支障をきたしている。
【０００６】
潤滑油を圧送する方法として、加圧用のポンプを使用する方法も考えられるが、外部電源や保守点検等に問題があり、停電時や災害時には対応できない。
【０００７】
【発明が解決しようとする課題】
本発明は上記情況に鑑みてなされたもので、上記従来技術におけるような欠点がなく、トングレールの転轍操作に支障を来たすことなく、しかも停電時や災害時においても、確実に復動式油圧ポンプに給油することができる加圧式給油タンクを提供することを課題とする。
【０００８】
【課題を解決するための手段】
本発明は、トングレールと床板摺動面に潤滑油を給油するための給油タンクであって、前記タンクの上蓋を前記タンク内においてピストンとして機能するように前記タンク内に摺動可能に配置し、前記上蓋の自重で前記タンク内の潤滑油を加圧可能にしたことを特徴とする加圧式給油タンク、を以て上記課題を解決した。
【０００９】
本発明の加圧式給油タンクは、潤滑油タンク自体を加圧タンクとして、潤滑油タンク本体が油圧シリンダーの役目をするようにしたもので、上蓋が油圧ピストンと加圧錘の役目をし、絶えず一定の圧力が潤滑油に掛かるようになる。
油圧ピストン兼用の上蓋には、潤滑油補給口兼空気抜き用のバルブを設け、上蓋を持ち上げるために蓋の中央にフック金具を取り付け、上方に簡易型の手巻きウインチを設ける。
【００１０】
潤滑油を補給する場合は、空気抜きバルブを開放して、手巻きウインチで上蓋を持ち上げて、空気抜き用のホースを外して補給をする。
タンク内に潤滑油の補給が完了すれば、空気抜き用のホースを取り付け、ウインチを緩めて上蓋を降ろす。
【００１１】
【発明を実施するための最良の形態】
本発明の好ましい実施例について、添付図面に依拠して説明する。図１は、復動式油圧ポンプとトングレールを示し、図２は、本発明に係る加圧式給油タンクの正面図、図３はその縦断面図、そして、図４はその上面図である。
【００１２】
本発明に係る加圧式給油タンクの説明の前に、潤滑油の加圧装置、及び、トングレールついて概略説明をしておく。
図１に示す如く、後述する加圧式給油タンクから圧送されてきた潤滑油は、給油側８より、復動式油圧ポンプ１に供給される。
復動式油圧ポンプ１は、トングレールの枕木と枕木の間に固定する。復動式油圧ポンプ１は、構造上１個のピストンに対してピストンロッド２が両側に２本取り付けられている。
【００１３】
ピストンロッド２の先端は、電気的に絶縁するために硬質絶縁樹脂３を取り付けるが、先端がトングレール４の内側に軽く接触する程度にピストンロッド２の長さを調整して取り付ける。
【００１４】
トングレールが図１の矢印方向ＡからＢへ、また、ＢからＡへと転轍動作を行う際に、横移動のトルクを利用して復動の油圧ポンプ１を作動させる。
【００１５】
復動式油圧ポンプ１のピストンがＡ側に移動する場合は、Ａ側シリンダー内の潤滑油がピストンより押し出されて、Ａ側の逆止弁５を経て、トングレール４の側面に固定された油圧配管６を通して各枕木上の所定のトングレール４と床板７の摺動面に供給される。
【００１６】
復動式油圧ポンプ１のピストンがＢ側に移動する場合は、Ｂ側シリンダー内の潤滑油がピストンより押し出され、Ｂ側の逆止弁５を経て、トングレール４の側面に固定された油圧配管６を通して各枕木上の所定のトングレール４と床板７の摺動面に供給される。
【００１７】
上述の動作を繰り返すことにより、転轍作業が行われる場合に、その都度、適量の潤滑油をトングレール４と床板７の摺動面に供給することができる。
【００１８】
図２乃至図４に示される本発明に係る加圧式給油タンク１２は、上述の条件を満たすために潤滑油タンク本体を加圧タンクとし、例えば、内径２５０ｍｍΦ、容積６２０リットルの潤滑油タンク本体が油圧シリンダーの役目をするようにタンクの内面に鏡面研磨が施される。
【００１９】
上部の蓋１４−１、１４−２が油圧ピストンと加圧錘の役目をし、絶えず一定の圧力が潤滑油１１に掛かるようにし、蓋の側面上下にピストンリングとしてＯリング１３が取付けられて、潤滑油の洩れが防止される。
【００２０】
加圧式給油タンク１２から復動式油圧ポンプ１までの距離は、最長で約２０ｍあり、トングレール４の稼働時に油圧ポンプ１のピストンに過大な荷重が掛からなくするためには、油圧ポンプ１の吸入側８で潤滑油の圧力が０．１５ｋｇ／ｃｍ２以上となることが必要である。それ以下の油圧では、転轍作業に支障をきたす危険性がある。
【００２１】
油圧ポンプ１の吸入側８で潤滑油の油圧を０．１５ｋｇ／ｃｍ２以上確保するためには、蓋１４−１、１４−２の重量を約７０ｋｇにする必要がある。
【００２２】
本発明では、現地への搬入、設置時の作業性等を考慮して蓋を２分割（１４−１、１４−２）し、現場にて組み立てることとした。
油圧ピストン兼用の蓋１４−１、１４−２には、潤滑油補給口１５と空気抜き用のバルブ２０を設け、蓋１４−１、１４−２を持ち上げるために蓋１４−１の中央にフック金具１７を取り付け、上部側面に簡易型の手巻きウインチ（荷重１００ｋｇ）１９を設けた。
【００２３】
潤滑油を補給する場合は、空気抜きバルブ２０を開放して、手巻きウインチ１９で蓋を持ち上げて、空気抜き用のホース１６を外して潤滑油補給口１５より補給する。
タンク内に潤滑油の補給完了後、空気抜き用のホースを取り付け、ウインチ１９を緩めて給油作業は完了する。
【００２４】
【発明の効果】
上述の様にトングレール摺動面に潤滑油を供給する事に関して、本発明の加圧式給油タンクで、潤滑油に一定の圧力を加えて復動式油圧ポンプに供給することにより、トングレールの転轍操作に支障を来すことなく、安心して転轍操作が行われ、かつ、トングレール摺動面に潤滑油を給油する事ができる。なお、タンク１２の下部潤滑油送出口に分配用コック２１を設けることにより、本発明の加圧式給油タンク一台で複数のトングレールの油圧ポンプに潤滑油を供給する事ができる。
【図面の簡単な説明】
【図１】  復動式油圧ポンプとトングレールを示す平面図である。
【図２】  本発明に係る加圧式給油タンクの正面図である。
【図３】  本発明に係る加圧式給油タンクの縦断面図である。
【図４】  本発明に係る加圧式給油タンクの上面図である。
【符号の説明】
１  復動式油圧ポンプ
２  ピストンロッド
３  硬質絶縁樹脂
４  トングレール
５  逆止弁
６  油圧配管
７  床板
８  油圧ポンプの潤滑油吸入側
９  枕木
１０  配管支持金物
１１  潤滑油
１２  給油タンク
１３  Ｏリング
１４−１  上蓋
１４−２  上蓋
１５  潤滑油補給口
１６  空気抜きホース
１７  フック金物
１８  巻上げワイヤー
１９  手巻きウインチ
２０  空気抜きバルブ
２１  分配用コック
２２  架台